(57)【特許請求の範囲】
【請求項１】
被検体の３次元医用画像を取得する医用画像取得手段と、
該医用画像取得手段によって取得された３次元医用画像と該３次元医用画像に付加される情報を表す付加情報画像とを表示する表示制御手段と、
前記３次元医用画像に対して前記付加情報画像を表示する指示および非表示とする指示を受け付ける付加情報表示指示受付手段とを備え、
前記表示制御手段が、前記３次元医用画像をカラー表示した状態において前記付加情報画像を表示する指示が受け付けられた際、前記３次元医用画像に対して前記付加情報画像をカラー表示し、かつ前記カラー表示された３次元医用画像をモノクロ表示に変更し、
前記付加情報画像をカラー表示した状態において前記付加情報画像を非表示とする指示が受け付けられた際、前記付加情報画像を非表示とし、かつ前記３次元医用画像の色をカラー表示に戻すことを特徴とする医用画像表示装置。
【請求項２】
前記表示制御手段が、前記付加情報画像として前記３次元医用画像上における所定の位置を指し示すための指標を表示するものであることを特徴とする請求項１記載の医用画像表示装置。
【請求項３】
前記表示制御手段が、前記３次元医用画像に基づくＣＰＲ（Curved Planer Reformation）画像を表示するものあり、
かつ前記ＣＰＲ画像の切断曲面を表す画像を前記３次元医用画像上に前記付加情報画像として表示するものであることを特徴とする請求項１または２記載の医用画像表示装置。
【請求項４】
前記表示制御手段が、前記３次元医用画像としてボリュームレンダリング画像を表示するものであることを特徴とする請求項１から３いずれか１項記載の医用画像表示装置。
【請求項５】
被検体の３次元医用画像を取得し、該取得した３次元医用画像と該３次元医用画像に付加される情報を表す付加情報画像とを表示する医用画像表示方法において、
前記３次元医用画像をカラー表示した状態において前記付加情報画像を表示する指示を受け付けた際、前記３次元医用画像に対して前記付加情報画像をカラー表示し、かつ前記カラー表示された３次元医用画像をモノクロ表示に変更し、
前記付加情報画像をカラー表示した状態において前記付加情報画像を非表示とする指示を受け付けた際、前記付加情報画像を非表示とし、かつ前記３次元医用画像の色をカラー表示に戻すことを特徴とする医用画像表示方法。
【請求項６】
コンピュータを、
被検体の３次元医用画像を取得する医用画像取得手段と、
該医用画像取得手段によって取得された３次元医用画像と該３次元医用画像に付加される情報を表す付加情報画像とを表示する表示制御手段と、
前記３次元医用画像に対して前記付加情報画像を表示する指示および非表示とする指示を受け付ける付加情報表示指示受付手段として機能させる医用画像表示プログラムであって、
前記表示制御手段が、前記３次元医用画像をカラー表示した状態において前記付加情報画像を表示する指示が受け付けられた際、前記３次元医用画像に対して前記付加情報画像をカラー表示し、かつ前記カラー表示された３次元医用画像をモノクロ表示に変更し、
前記付加情報画像をカラー表示した状態において前記付加情報画像を非表示とする指示が受け付けられた際、前記付加情報画像を非表示とし、かつ前記３次元医用画像の色をカラー表示に戻すことを特徴とする医用画像表示プログラム。
【発明の詳細な説明】
【技術分野】
【０００１】
本発明は、被検体の３次元医用画像を表示する医用画像表示装置、方法およびプログラムに関するものであり、特に、３次元医用画像に付加される情報を表す付加情報画像を３次元医用画像に対して表示する医用画像表示装置、方法およびプログラムに関するものである。
【背景技術】
【０００２】
従来、たとえばＣＴ装置（Computed Tomography）やＭＲＩ装置（Magnetic Resonance Imaging）などを用いて被検体を撮影することによって被検体の３次元医用画像を取得し、その３次元医用画像をＭＰＲ（multi planer reconstruction）やボリュームレンダリングといった表示方法でディスプレイに表示してユーザに提示することが行われている。
【０００３】
そして、レポートやカンファレンス、研究発表などといった第３者に対して３次元医用画像を提示して説明を行う場においては、たとえば３次元医用画像上における関心領域などの位置を指し示すために矢印のアノテーションを付加して表示したりしていた。
【先行技術文献】
【特許文献】
【０００４】
【特許文献１】特開２００８−２４５８３２号公報
【特許文献２】特開２００１−２８３１９１号公報
【特許文献３】特開２０１０−１３１３１５号公報
【発明の概要】
【発明が解決しようとする課題】
【０００５】
しかしながら、上述したようにアノテーションを付加する際には、アノテーションの色を３次元医用画像の色と区別できるようにする必要があり、予め設定されたアノテーションの色によっては３次元医用画像の色と区別することが困難な場合があった。
【０００６】
また、３次元医用画像に基づいてＣＰＲ（Curved Planer Reformation）画像を表示する際、そのＣＰＲ画像の切断曲面の表面画像をアノテーションとしてボリュームレンダリング画像上に表示させることがあるが、一般的にボリュームレンダリング画像はカラー表示されるので、上述した表面画像の色によっては表面画像がボリュームレンダリング画像内に埋もれてしまい、結局、どの曲面を表示しているのか把握できなくなることがある。また、アノテーションの色については、第３者に対して見易くしたり、強調したりするためにユーザが指定した色を用いることが望ましい。
【０００７】
ここで、特許文献１には、医用画像に対してテキストボックスなどのオブジェクトを表示する際、医用画像の輝度に応じてオブジェクトの輝度を調整することが提案されているが、これはオブジェクトの輝度によっては高い表示精度が求められる医用画像に対して影響を与え、読影に支障がでるという問題を解決するためであり、特許文献１には、オブジェクトを識別し易くするという観点での対策は全く提案されていない。
【０００８】
また、特許文献２および特許文献３には、関心領域と関心領域以外の領域とを識別可能に表示することが提案されているが、アノテーションと３次元医用画像との関係については何も提案されていない。
【０００９】
本発明は、上記事情に鑑み、被検体の３次元医用画像とともに、その３次元医用画像に付加される情報を表す付加情報画像を表示する医用画像表示装置、方法およびプログラムにおいて、付加情報画像を所望の色で表示することができ、かつ付加情報画像と３次元医用画像とを明確に区別することができる医用画像表示装置、方法およびプログラムを提供することを目的とするものである。
【課題を解決するための手段】
【００１０】
本発明の医用画像表示装置は、被検体の３次元医用画像を取得する医用画像取得手段と、医用画像取得手段によって取得された３次元医用画像とその３次元医用画像に付加される情報を表す付加情報画像とを表示する表示制御手段と、３次元医用画像に対して付加情報画像を表示する指示を受け付ける付加情報表示指示受付手段とを備え、表示制御手段が、付加情報画像を表示する指示が受け付けられた際、３次元医用画像に対して付加情報画像を表示し、かつ現在表示されている３次元医用画像の色を付加情報画像の色と識別可能な色に変更するものであることを特徴とする。
【００１１】
また、本発明の医用画像表示装置においては、表示制御手段を、付加情報画像をカラー表示し、３次元医用画像をカラー表示からモノクロ表示に変更するものとできる。
【００１２】
また、付加情報画像の色の変更指示を受け付ける色変更指示受付手段を設け、表示制御手段を、色変更指示受付手段によって付加情報画像の色の変更指示が受け付けられた際、現在表示されている３次元医用画像の色を付加情報画像の変更後の色と識別可能な色に変更するものとできる。
【００１３】
また、表示制御手段を、付加情報画像として３次元医用画像上における所定の位置を指し示すための指標を表示するものとできる。
【００１４】
また、表示制御手段を、３次元医用画像に基づくＣＰＲ（Curved Planer Reformation）画像を表示するものとし、かつＣＰＲ画像の切断曲面を表す画像を３次元医用画像上に付加情報画像として表示するものとできる。
【００１５】
また、付加情報表示指示受付手段を、付加情報画像を非表示とする指示も受け付けるものとし、表示制御手段を、付加情報画像を非表示とする指示が受け付けられた際、付加情報画像を非表示とし、かつ３次元医用画像の色を変更前の色に戻すものとできる。
【００１６】
また、表示制御手段を、付加情報画像を非表示とする指示が受け付けられた際、３次元医用画像をモノクロ表示から変更前のカラー表示に戻すものとできる。
【００１７】
また、表示制御手段を、３次元医用画像としてボリュームレンダリング画像を表示するものとできる。
【００１８】
本発明の医用画像表示方法は、被検体の３次元医用画像を取得し、その取得した３次元医用画像とその３次元医用画像に付加される情報を表す付加情報画像とを表示する医用画像表示方法において、３次元医用画像に対して付加情報画像を表示する指示を受け付けた際、３次元医用画像に対して付加情報画像を表示し、かつ現在表示されている３次元医用画像の色を付加情報画像の色と識別可能な色に変更することを特徴とする。
【００１９】
本発明の医用画像表示プログラムは、コンピュータを、被検体の３次元医用画像を取得する医用画像取得手段と、医用画像取得手段によって取得された３次元医用画像とその３次元医用画像に付加される情報を表す付加情報画像とを表示する表示制御手段と、３次元医用画像に対して付加情報画像を表示する指示を受け付ける付加情報表示指示受付手段として機能させる医用画像表示プログラムであって、表示制御手段が、付加情報画像を表示する指示が受け付けられた際、３次元医用画像に対して付加情報画像を表示し、かつ現在表示されている３次元医用画像の色を付加情報画像の色と識別可能な色に変更するものであることを特徴とする。
【発明の効果】
【００２０】
本発明の医用画像表示装置、方法およびプログラムによれば、３次元医用画像に対して付加情報画像を表示する指示を受け付け、付加情報画像を表示する指示が受け付けられた場合には、３次元医用画像に対して付加情報画像を表示し、かつ現在表示されている３次元医用画像の色を付加情報画像の色と識別可能な色に変更するようにしたので、付加情報画像を所望の色で表示することができ、かつ付加情報画像と３次元医用画像とを明確に区別することができる。
【００２１】
また、付加情報画像の色の変更指示を受け付け、その付加情報画像の色の変更指示が受け付けられた際には、現在表示されている３次元医用画像の色を付加情報画像の変更後の色と識別可能な色に変更するようにした場合には、付加情報画像の色をユーザが変更することができるとともに、付加情報画像の色をどのように変更したとしても常に付加情報画像と３次元医用画像との区別を明確にすることができる。
【００２２】
また、付加情報画像を非表示とする指示を受け付け、その付加情報画像を非表示とする指示が受け付けられた際、付加情報画像を非表示とし、かつ３次元医用画像の色を変更前の色に戻すようにした場合には、付加情報画像を表示していない状態では、３次元医用画像の色をユーザが普段見慣れた色に戻すことができる。
【図面の簡単な説明】
【００２３】
【図１】本発明の医用画像表示装置の一実施形態を用いた医用画像表示システムの概略構成を示すブロック図
【図２】本発明の医用画像表示装置の一実施形態を用いた医用画像表示システムの作用を説明するためのフローチャート
【図３】３次元医用画像の一例を示す図
【図４】３次元医用画像の色とＣＰＲ画像の切断曲面の表面画像の色とが識別できない例を説明するための図
【図５】３次元医用画像をモノクロ表示とし、ＣＰＲ画像の切断曲面の表面画像をカラー表示とした場合を説明するための図
【図６】付加情報画像として関心領域の位置を示す矢印のカーソルを表示した場合の一例を示す図
【図７】付加情報画像として関心領域の位置と範囲を示す枠画像を表示した場合の一例を示す図
【発明を実施するための形態】
【００２４】
以下、本発明の医用画像表示装置、医用画像表示プログラムおよび医用画像表示方法の一実施形態について、図面を参照しながら詳細に説明する。図１は、本実施形態の医用画像表示装置の一実施形態を備えた医用画像表示システムの概略構成を示す図である。本実施形態の医用画像表示システムは、図１に示すように、医用画像表示装置１と記憶装置２とディスプレイ３とを備えている。
【００２５】
医用画像表示装置１は、一台のコンピュータに、本発明の医用画像表示プログラムの一実施形態をインストールしたものである。コンピュータは、画像診断を行う医師が直接操作するワークステーションやパソコンでもよいし、またはそれらとネットワークを介して接続されるサーバコンピュータでもよい。医用画像表示プログラムは、ＤＶＤ，ＣＤ−ＲＯＭ等の記録媒体や、ネットワークに接続された外部からアクセス可能なサーバコンピュータのなどに記憶されるものであり、医師からの要求に応じて、上記記録媒体やサーバコンピュータから読み出されてコンピュータにダウンロードされてインストールされる。
【００２６】
そして、医用画像表示装置１は、中央処理装置（ＣＰＵ）および半導体メモリや、上述した医用画像表示プログラムがインストールされたハードディスクやＳＳＤ(Solid State Drive)等のストレージデバイスなどを備えており、これらのハードウェアによって、図１に示すような医用画像取得部１１（医用画像取得手段）、表示制御部１２（表示制御手段）、付加情報表示指示受付部１３（付加情報表示指示受付手段）および色変更指示受付部１４（色変更指示受付手段）が構成されている。そして、ハードディスクにインストールされた医用画像表示プログラムが中央処理装置によって実行されることによって上記各部がそれぞれ機能する。また、医用画像表示装置１には、ディスプレイ３と、マウスやキーボードなどから構成される入力装置４が接続されている。
【００２７】
医用画像取得部１１は、予め撮影された被検体の３次元医用画像を取得するものである。具体的には、ＣＴ検査やＭＲＩ検査において被検体を撮影した３次元医用画像５や、この３次元医用画像５に基づいて生成されたＣＰＲ（Curved Planer Reformation）画像６などを取得するものである。ＣＰＲ画像６は、たとえば血管、気管支、大腸や脊髄などの細長い構造物の３次元医用画像を、その構造物の中心線に沿った切断曲面で切断し、さらにその曲面を伸長させて生成された画像である。ＣＰＲ画像には、切断面を２次元平面画像として表示する際の手法別に、投影ＣＰＲ画像、伸張ＣＰＲ画像、ストレートＣＰＲ画像の３種類がある。なお、３次元医用画像５やＣＰＲ画像６は、予め記憶装置２に記憶されるものである。
【００２８】
表示制御部１２は、医用画像取得部１１によって取得された３次元医用画像５や、上述したＣＰＲ画像６をディスプレイ３に表示させるものである。さらに表示制御部１２は、３次元医用画像５に付加される情報を表す付加情報画像をディスプレイ３に表示させるものである。
【００２９】
ここで、上述した付加情報画像とは、いわゆるアノテーションのようなものであり、具体的には、たとえば３次元医用画像５上におけるＣＰＲ画像６の切断曲面の表面を表す画像（以下、切断曲面の表面画像という）や、３次元医用画像５上における関心領域の位置を指定するために表示される指標などがある。上記指標としては、たとえば矢印や×などによって表されるカーソルや、関心領域の位置とその範囲を示す四角や円などの枠画像などがある。また、付加情報画像は、その他にも３次元医用画像５についての所見が記入されたコメント欄の画像なども含むものであり、要するに３次元医用画像５に付加される情報を表す画像であれば如何なる画像でもよい。
【００３０】
なお、３次元医用画像５上におけるＣＰＲ画像６の切断曲面の表面画像は、ＣＰＲ画像６を生成する際に用いられた情報、たとえば血管、気管支や腸などの管状組織の芯線の情報などに基づいて生成されるものであるが、このような情報はＣＰＲ画像６とともに医用画像表示装置１に入力され、表示制御部１２は、その入力された情報に基づいてＣＰＲ画像６の切断曲面の表面画像を生成するものである。ＣＰＲ画像６の切断曲面の表面画像の生成方法については、たとえば特開２０１２−２４５１７号公報に記載のとおり既に公知であるので、ここでは詳細な説明は省略する。
【００３１】
また、後で述べるように表示制御部１２は、ＣＰＲ画像６の切断曲面の表面画像（付加情報画像）の表示、非表示を制御したり、色の変更を制御したりするものであるが、このときＣＰＲ画像６を生成する際に用いられた芯線の情報が用いられることになる。この芯線の情報は、たとえば特許第４７１７９３５号公報に記載の方法を用いて取得することができる。以下、たとえば心臓の血管の芯線の情報を取得する方法について説明する。
【００３２】
具体的には、まず、心臓の３次元医用画像に対して多重解像度変換することにより、ガウシアンピラミッドを生成する。
【００３３】
そして、その生成したガウシアンピラミッドごとに所定の検出処理を施すことによって異なるサイズの線状構造からなる血管候補を検出する。次に、その検出した血管候補を含む所定の領域内にて、ヘッセ行列の固有値解析を行い、血管候補の主軸方向を算出する。ヘッセ行列は、２階の偏微分係数を要素とする行列であり、三次元画像に対しては、下式のように３×３行列となる。
【数１】
0006041504.tif 000002
【００３４】
ここで、任意の画素におけるヘッセ行列の固有値をλ１、λ２、λ３としたとき、固有値のうち２つの固有値が大きく、１つの固有値が０に近い場合、例えば、λ３、λ２≫λ１、λ１≒０を満たすとき、その画素は線状構造物であることが知られている。したがって、ヘッセ行列の最小の固有値（λ１≒０）に対応する固有ベクトルが血管候補の主軸方向となる。
【００３５】
次に、上述したようにして算出された主軸方向に基づいて、血管候補を含む所定の対象領域に対して正規化処理が施される。そして、正規化処理を施した対象領域からマシンラーニング手法等により特徴量を算出し、その算出した特徴量を用いて対象領域に真の血管が含まれるか否かを判別する。
【００３６】
そして、血管であると判別した場合、対象領域の所定の点を候補点として設定する。判別すべき対象領域がある限り、上述した判別を繰り返す。
【００３７】
次に、全ての対象領域の判別が終了し、判別が不要となった際には、設定された複数の候補点のうち少なくとも二つの候補点の関係が、二つの候補点それぞれの位置情報から一定の距離内にあって、かつ二つの候補点を結ぶ基本線と、基本線とそれぞれの主軸方向から求まる二つの鋭角の和が一定角度内であることを条件とするコスト関数を用いて、複数の候補点が接続されるものであるか否かを再構築することによって血管の芯線を得る。具体的には、たとえば設定した複数の候補点を最小全域木手法によって、再構築し、血管の芯線を得ることができる。なお、上述したように、この血管の芯線を用いて、血管のＣＰＲ画像や、そのＣＰＲ画像の切断曲面の表面画像が生成されることになる。
【００３８】
付加情報表示指示受付部１３は、ディスプレイ３に表示された３次元医用画像５に対して、上述した付加情報画像を表示する指示または非表示とする指示を受け付け、その旨を表示制御部１２に出力するものである。付加情報画像を表示する指示または非表示とする指示は、入力装置４を用いてユーザによって入力され、付加情報表示指示受付部１３は、その入力信号を受け付けるものである。
【００３９】
そして、表示制御部１２は、付加情報画像を表示する指示信号が入力された際に、ディスプレイ３に上述した付加情報画像を表示し、付加情報画像を非表示とする指示信号が入力された際に、ディスプレイ３に表示された付加情報画像を非表示とするものである。
【００４０】
さらに、表示制御部１２は、付加情報画像を表示する指示信号が入力された際、上述したように付加情報画像を表示するとともに、かつ現在表示されている３次元医用画像５の色を付加情報画像の色と識別可能な色に変更するものである。
【００４１】
具体的には、たとえば、表示制御部１２が、付加情報画像が表示される前においては３次元医用画像５をカラー表示するよう予め設定されるともに、付加情報画像をカラー表示するように予め設定されている場合には、付加情報画像を表示する指示信号が入力された際には、カラー表示の付加情報画像をディスプレイ３に表示するとともに、現在表示されている３次元医用画像５をカラー表示からモノクロ表示に変更する。
【００４２】
なお、変更後の３次元医用画像５の色は、必ずしも上述したようなモノクロである必要はなく、その他にも付加情報画像の色と識別可能な色であれば如何なる色でもよい。ただし、変更後の３次元医用画像５の色と付加情報画像の色とのコントラストが高くなるようにすることが望ましく、少なくとも変更前の３次元医用画像５の色と、付加情報画像の色とのコントラストよりも変更後の３次元医用画像５の色と、付加情報画像の色とのコントラストの方が高くなるようにする。すなわち、変更前の３次元医用画像５の色と付加情報画像の色との関係のよりも変更後の３次元医用画像５の色と付加情報画像の色との関係の方がより識別し易いようにする。
【００４３】
また、表示制御部１２は、付加情報画像が表示されている状態において、付加情報画像を非表示とする指示信号が入力された際には、カラー表示の付加情報画像を非表示するとともに、３次元医用画像５をモノクロ表示から変更前のモノクロ表示に戻すものである。
【００４４】
色変更指示受付部１４は、付加情報画像の色の変更指示を受け付け、その旨を表示制御部１２に出力するものである。付加情報画像の色の変更指示は入力装置４を用いてユーザによって入力され、色変更指示受付部１４は、その入力信号を受け付けるものである。また、付加情報画像の色の変更指示は、たとえばディスプレイ３に複数の色が配列されたパレットなどを表示させ、そのパレットの中からユーザが所定の色を選択することによって行うようにすればよい。
【００４５】
そして、表示制御部１２は、付加情報画像の色の変更指示信号が入力された際には、その信号に応じて付加情報画像の色を変更するものである。また、このとき表示制御部１２は、現在表示されている３次元医用画像の色を、変更後の付加情報画像の色と識別可能な色に変更するものである。
【００４６】
具体的には、上述したように付加情報画像をカラー表示とし、３次元医用画像をモノクロ表示とした場合には、付加情報画像の色を変更したとしてもあまり影響はないが、たとえば付加情報画像と３次元医用画像の両方について、互いに識別可能な異なるカラー表示とした場合には、付加情報画像の色を変更した場合に、３次元医用画像の色との識別が困難な場合がある。
【００４７】
そこで、このような問題が生じないように、表示制御部１２は、付加情報画像の色を変更した際には、その変更後の色と３次元医用画像の色とが識別可能なように３次元医用画像の色も変更するものである。
【００４８】
このときの３次元医用画像の色としては、ユーザによって変更された付加情報画像の色とのコントラストが高いものが望ましく、上記と同様に、少なくともユーザによる変更前の付加情報画像の色と、そのときの３次元医用画像の色とのコントラストよりも、ユーザによる変更後の付加情報画像の色と、その付加情報画像の色の変更に応じて変更した３次元医用画像の色とのコントラストの方が高くなるようにする。すなわち、ユーザによる変更前の付加情報画像の色と、そのときの３次元医用画像の色との関係よりも、ユーザによる変更後の付加情報画像の色と、その付加情報画像の色の変更に応じて変更した３次元医用画像の色との関係の方がより識別し易いようにする。
【００４９】
３次元医用画像の色の変更については、表示制御部１２においてそのような色を自動的に判定するようにしてもよい。コントラストの高い色の判定方法としては、たとえばW3Cによって提案されているコントラスト判定方法を採用するようにしてもよい。もしくは、表示制御部１２において、コントラストが高い色同士を対応付けたテーブルなどを設定しておき、ユーザによって変更された付加情報画像の色に基づいて、上記テーブルを参照することによって３次元医用画像の色を決定して変更するようにしてもよい。
【００５０】
記憶装置２には、３次元医用画像５として、ＣＴ装置やＭＲＩ装置から出力されたスライスデータに基づいて再構成されたボリュームデータや、ＭＳ（Multi Slice）ＣＴ装置やコーンビームＣＴ装置から出力されたボリュームデータ等が記憶されている。また、記憶装置２には、上述したボリュームデータに基づいて生成されたＣＰＲ画像６が記憶されている。
【００５１】
図２は、本実施形態の医用画像表示システムの作用を説明するためのフローチャートである。以下、このフローチャートを参照しながら説明する。なお、ここでは付加情報画像としてＣＰＲ画像６の切断曲面の表面画像を表示する場合について説明する。
【００５２】
まず、本実施形態の医用画像表示システムにおいては、ディスプレイ３に被検体のＩＤの一覧が表示される。そして、そのディスプレイ３に表示された被検体のＩＤの一覧の中から診断対象である被検体のＩＤが選択され、医用画像表示装置１によってユーザによる選択操作が検出されると、医用画像表示装置１の医用画像取得部１１によってその選択された被検体に関連する３次元医用画像５およびＣＰＲ画像６が取得される（Ｓ１０）。
【００５３】
次に、医用画像取得部１１によって取得された３次元医用画像５とＣＰＲ画像とが表示制御部１２に入力され、表示制御部１２は、入力された３次元医用画像５とＣＰＲ画像とをディスプレイ３に表示する（Ｓ１２）。図３は、ディスプレイ３に表示された３次元医用画像５の一例を示すものである。このとき本実施形態における表示制御部１２は、３次元医用画像５を薄い緑でカラー表示する。
【００５４】
ここで、ユーザが、ディスプレイ３に表示されたＣＰＲ画像６の３次元医用画像５上における切断面を確認したいと判断した場合には、付加情報画像としてＣＰＲ画像６の切断曲面の表面画像を表示する指示信号を入力装置４を用いて入力する（Ｓ１４，ＹＥＳ）。
【００５５】
ユーザによって入力装置４から入力された上記指示信号は付加情報表示指示受付部１３によって受け付けられ、付加情報表示指示受付部１３は、その旨を表示制御部１２に出力する。
【００５６】
次いで、表示制御部１２は、切断曲面の表面画像を表示する指示信号が入力されると、ディスプレイ３に表示された３次元医用画像５上に切断曲面の表面画像を表示する（Ｓ１６）。
【００５７】
ここで、たとえば、図４に示すように３次元医用画像５を薄い緑でカラー表示している際に切断曲面の表面画像を濃い緑でカラー表示したのでは３次元医用画像５と切断曲面の表面画像との識別が困難となる。
【００５８】
そこで、表示制御部１２は、切断曲面の表面画像を表示する指示信号が入力されると、切断曲面の表面画像を表示するとともに、さらに現在表示されている３次元医用画像５の色を、切断曲面の表面画像の色と識別可能な色に変更する（Ｓ１８）。具体的には、たとえば、図５に示すように３次元医用画像５をカラー表示からモノクロ表示に変更する。このように切断曲面の表面画像の色に応じて３次元医用画像５の色を変更することによって、３次元医用画像５における表面画像をより識別し易く表示することができ、その表面画像が示している曲面をより明確に認識することができる。
【００５９】
次に、ユーザが、切断曲面の表面画像を非表示にしたいと判断した場合には、切断曲面の表面画像を非表示する指示信号を入力装置４を用いて入力する（Ｓ２０，ＹＥＳ）。
【００６０】
ユーザによって入力装置４から入力された上記指示信号は付加情報表示指示受付部１３によって受け付けられ、付加情報表示指示受付部１３は、その旨を表示制御部１２に出力する。
【００６１】
次いで、表示制御部１２は、切断曲面の表面画像を非表示とする指示信号が入力されると、ディスプレイ３に表示された切断曲面の表面画像を非表示とし（Ｓ２２）、さらに３次元医用画像５の色を変更前の薄い緑のカラー表示に戻す（Ｓ２４）。
【００６２】
一方、Ｓ１６において切断曲面の表面画像が表示された後、ユーザが、切断曲面の表面画像の色を変更したいと判断した場合には、切断曲面の表面画像の色を変更する指示信号を入力装置４を用いて入力する（Ｓ２６，ＹＥＳ）。
【００６３】
ユーザによって入力装置４から入力された上記色変更の指示信号は、色変更指示受付部１４によって受け付けられ、付加情報表示指示受付部１３は、その旨を表示制御部１２に出力する。
【００６４】
そして、表示制御部１２は、色変更の指示信号が入力された際には、その信号に応じて切断曲面の表面画像の色を変更し、さらにこのとき表示制御部１２は、現在表示されている３次元医用画像の色を、変更後の切断曲面の表面画像の色と識別可能な色に変更する（Ｓ２８）。
【００６５】
ただし、上述したように切断曲面の表面画像の色が濃い緑のカラー表示であり、３次元医用画像がモノクロ表示である状態において、切断曲面の表面画像の色がモノクロ表示と識別可能な濃い緑とは別の色のカラー表示に変更された場合には、モノクロ表示の３次元医用画像５と切断曲面の表面画像とは識別可能なので、３次元医用画像５の色の変更は行わない。
【００６６】
一方、３次元医用画像と切断曲面の表面画像との両方が、互いに識別可能な異なるカラー表示である状態において、切断曲面の表面画像の色を変更した場合には、その変更後の切断曲面の表面画像の色と３次元医用画像の色とが識別可能なように３次元医用画像の色も変更する。
【００６７】
上記実施形態の医用画像表示システムによれば、３次元医用画像に対して付加情報画像（ＣＰＲ画像６の切断曲面の表面画像）を表示する指示を受け付け、その付加情報画像を表示する指示が受け付けられた場合には、３次元医用画像に対して付加情報画像を表示し、かつ現在表示されている３次元医用画像の色を付加情報画像の色と識別可能な色に変更するようにしたので、付加情報画像を所望の色で表示することができ、かつ付加情報画像と３次元医用画像とを明確に区別することができる。
【００６８】
なお、上記説明においては、付加情報画像としてＣＰＲ画像６の切断曲面の表面画像を表示する場合について説明したが、上述したように付加情報画像はこれに限らず、たとえば関心領域の位置を示す矢印のカーソルや、関心領域の位置と範囲を示す枠画像がある。図６は、付加情報画像として関心領域の位置を示す矢印のカーソルを表示した場合の一例であり、図７は、付加情報画像として関心領域の位置と範囲を示す枠画像を表示した場合の一例である。図６に示す矢印のカーソルや図７に示す枠画像を表示した際にも、上記説明と同様に、３次元医用画像５の色をこれらの色と識別可能な色に変更するようにすればよい。
【符号の説明】
【００６９】
１     医用画像表示装置
２     記憶装置
３     ディスプレイ
４     入力装置
１１   医用画像取得部
１２   表示制御部
１３   付加情報表示指示受付部
１４   色変更指示受付部
【図１】
0006041504.tif 000003
【図２】
0006041504.tif 000004
【図３】
0006041504.tif 000005
【図４】
0006041504.tif 000006
【図５】
0006041504.tif 000007
【図６】
0006041504.tif 000008
【図７】
0006041504.tif 000009